(57)【要約】【課題】  転がりを利用してコインをスムーズに選別部へ導くと共に、選別部（回転盤）の前後寸法を抑えて、装置の奥行きを小さくする。【解決手段】  装置正面に設けられる投入口５と、該投入口５から投入されたコインＣを選別する選別部２１と、投入口５から投入されたコインＣを選別部２１へ導くコイン経路２２とを備えるコイン選別装置１において、投入口５は、表裏面が左右を向くコインＣの投入を許容する一方、選別部２１は、表裏面が前後を向くコインＣを選別し、更に、コイン経路２２は、投入されたコインＣを転がしながら左右方向に傾倒し、かつ、傾倒したコインを前後方向に起立させながら選別部２１へ導くように構成される。【選択図】        図１５
2005122247.tif 000002
【特許請求の範囲】
【請求項１】
装置正面に設けられる投入口と、該投入口から投入されたコインを選別する選別部と、前記投入口から投入されたコインを前記選別部へ導くコイン経路とを備えるコイン選別装置において、
前記投入口は、表裏面が左右を向くコインの投入を許容する一方、前記選別部は、表裏面が前後を向くコインを選別し、更に、前記コイン経路は、投入されたコインを転がしながら左右方向に傾倒し、かつ、傾倒したコインを前後方向に起立させながら前記選別部へ導くことを特徴とするコイン選別装置。
【請求項２】
前記コイン経路は、投入されたコインを転がりガイドする転がりガイド部と、該転がりガイド部上で転がるコインを左右方向に傾倒させる傾倒ガイド部と、傾倒したコインを前後方向に起立させながら前記選別部へ導く起立ガイド部とを備えることを特徴とする請求項１記載のコイン選別装置。
【請求項３】
前記投入口は、投入されるコインの姿勢を矯正しつつ、コインの押し込みを許容する正面視略コの字形の姿勢矯正ガイドを備えることを特徴とする請求項１又は２記載のコイン選別装置。
【請求項４】
前記起立ガイド部は、左右に並列する一対のガイド部材で構成されると共に、少なくとも一方のガイド部材が外部操作に応じて変位することを特徴とする請求項２又は３記載のコイン選別装置。
【請求項５】
前記選別部は、外部操作に応じて回転する回転盤上で正規コインを保持し、該回転盤の回転に伴って正規コインをコイン収納部へ導くことを特徴とする請求項１〜４のいずれかに記載のコイン選別装置。
【請求項６】
前記回転盤は、外部操作に応じて回転したとき、前記選別部に保持された正規コインを介してタイマ軸を回転させることを特徴とする請求項１〜５のいずれかに記載のコイン選別装置。
【請求項７】
前記回転盤は、前記選別部で保持されない小径コインを、前記回転盤に形成される孔を介して返却口へ導く返却ガイド部を備えることを特徴とする請求項１〜６のいずれかに記載のコイン選別装置。
【請求項８】
前記選別部は、連続投入された二枚目コインを、正規コインを介して保持すると共に、前記回転盤の回転に伴って前記返却口へ導くことを特徴とする請求項１〜７のいずれかに記載のコイン選別装置。
【請求項９】
前記投入口に、コインの投入を許容する投入許容姿勢と、コインの投入を規制する投入規制姿勢とに動作する投入規制部材を設けると共に、該投入規制部材を、二枚目コインの押圧力で投入規制動作させることを特徴とする請求項１〜８のいずれかに記載のコイン選別装置。
【発明の詳細な説明】
【技術分野】
【０００１】
本発明は、投入口から投入されたコインを選別するコイン選別装置に関する。
【背景技術】
【０００２】
施設の利用や物品の購入に際して、コイン（硬貨）を徴収するコイン式ガスコンロ、コイン式シャワー、コイン式ランドリー、コイン式洗車機、自動販売機などには、投入されたコインを選別するコイン選別装置が設けられている。この種のコイン選別装置は、通常、装置上面又は装置前面に投入口を備え、ここに投入されたコインを装置内部の選別部で選別するように構成されている。
【０００３】
しかしながら、装置上面に投入口を備えるコイン識別装置においては、以下のような問題がある。
（１）コイン選別装置を高い位置に設置できないなど、設置上の制約がある。
（２）投入口から選別部に至るコイン経路が直線的（一次元的）になるため、投入口から水、異物、塵埃などが浸入すると、これらが選別部に到達して故障の原因になる許りでなく、内部の腐食が促進される可能性がある。
（３）投入口から選別部に至るコイン経路が直線的になるため、針金などを用いた不正行為が行われ易い。
【０００４】
一方、装置正面に投入口を備えるコイン識別装置（例えば、特許文献１参照。）では、設置上の制約を緩和できるだけでなく、投入口から選別部に至るコイン経路を２次元的に形成することができる。これにより、投入口から浸入した水、異物、塵埃などが選別部に到達することを阻止できるだけでなく、針金などを用いた不正行為を防止することが可能になる。
【特許文献１】特開２００２−２０８０５４号公報
【発明の開示】
【発明が解決しようとする課題】
【０００５】
ところで、装置正面に投入口を備えるコイン識別装置のなかには、特許文献１に示されるように、コインを縦姿勢（表裏面が左右を向く姿勢）で投入するものと、コインを横姿勢（表裏面が上下を向く姿勢）で投入するものがある。
【０００６】
装置正面からコインを縦姿勢で投入するコイン識別装置では、投入されたコインを転がしながら選別部へ導くことができるため、コインの詰りが発生しにくいという利点がある。しかしながら、このようなコイン識別装置では、表裏面が左右を向く姿勢でコインを選別することになるため、選別部（回転盤）の前後寸法が大きくなり、装置の大型化（特に、奥行×高さ寸法）を招来するという問題がある。
【０００７】
一方、装置正面からコインを横姿勢で投入するコイン識別装置では、通常、表裏面が前後を向く姿勢でコインを選別するため、選別部（回転盤）の前後寸法が小さくなり、装置を小型化することができる。しかしながら、このようなコイン識別装置では、投入されたコインを滑らせながら選別部へ導くため、摩擦抵抗でコインが停滞し、コインの詰りが発生し易いという問題がある。
【課題を解決するための手段】
【０００８】
本発明は、上記の如き実情に鑑みこれらの課題を解決することを目的として創作されたものであって、装置正面に設けられる投入口と、該投入口から投入されたコインを選別する選別部と、前記投入口から投入されたコインを前記選別部へ導くコイン経路とを備えるコイン選別装置において、前記投入口は、表裏面が左右を向くコインの投入を許容する一方、前記選別部は、表裏面が前後を向くコインを選別し、更に、前記コイン経路は、投入されたコインを転がしながら左右方向に傾倒し、かつ、傾倒したコインを前後方向に起立させながら前記選別部へ導くことを特徴とする。つまり、表裏面が左右を向く姿勢で装置正面から投入されたコインを三次元的に方向変換し、表裏面が前後を向く姿勢でコインを選別するように構成されるため、転がりを利用してコインをスムーズに選別部へ導くことができるだけでなく、選別部（回転盤）の前後寸法を抑えて、装置の奥行きを小さくすることができる。
また、前記コイン経路は、投入されたコインを転がりガイドする転がりガイド部と、該転がりガイド部上で転がるコインを左右方向に傾倒させる傾倒ガイド部と、傾倒したコインを前後方向に起立させながら前記選別部へ導く起立ガイド部とを備えることを特徴とする。このようにすると、簡単な構成でコインを三次元的に方向変換することができるため、構造の複雑化を回避してコストダウンを図ることができる。
また、前記投入口は、投入されるコインの姿勢を矯正しつつ、コインの押し込みを許容する正面視略コの字形の姿勢矯正ガイドを備えることを特徴とする。このようにすると、投入されたコインの姿勢が傾倒ガイド部の手前で乱れることを回避し、コインを常時安定した同一姿勢で傾倒ガイド部まで確実に到達させることができるため、傾倒ガイド部による傾倒ガイド作用を均一化して、コインを確実に選別部まで導くことができる。
また、前記起立ガイド部は、左右に並列する一対のガイド部材で構成されると共に、少なくとも一方のガイド部材が外部操作に応じて変位することを特徴とする。このようにすると、コイン経路でコインが詰まっても、ガイド部材の外部操作によってコインの詰りを解除することが可能になる。
また、前記選別部は、外部操作に応じて回転する回転盤上で正規コインを保持し、該回転盤の回転に伴って正規コインをコイン収納部へ導くことを特徴とする。このようにすると、投入口からコイン収納部に至るコインの経路が複雑になるため、針金などを用いた不正行為が困難になる。また、有料施設の利用時間を機体的なタイマで計時する場合、回転盤の回転を利用してタイマ軸を回転させることができる。
また、前記回転盤は、外部操作に応じて回転したとき、前記選別部に保持された正規コインを介してタイマ軸を回転させることを特徴とする。このようにすると、正規コインが投入されたときだけ回転盤とタイマ軸を連結状態とし、タイマ軸の回転を許容することができる。しかも、正規コインを利用して回転盤とタイマ軸を連結させるため、複雑な連結機構を不要にしてコストダウンを図ることができる。
また、前記回転盤は、前記選別部で保持されない小径コインを、前記回転盤に形成される孔を介して返却口へ導く返却ガイド部を備えることを特徴とする。このようにすると、返却ガイド部を回転盤と別に構成する場合に比べ、装置の小型化が可能になるだけでなく、小径コインの返却経路を短くすることができる。
また、前記選別部は、連続投入された二枚目コインを、正規コインを介して保持すると共に、前記回転盤の回転に伴って前記返却口へ導くことを特徴とする。このようにすると、二枚目コインの返却処理が容易になるだけでなく、簡単な返却経路を介して二枚目コインを返却することができる。
また、前記投入口に、コインの投入を許容する投入許容姿勢と、コインの投入を規制する投入規制姿勢とに動作する投入規制部材を設けると共に、該投入規制部材を、二枚目コインの押圧力で投入規制動作させることを特徴とする。このようにすると、三枚目コインの投入を確実に規制して、コインの詰りを抑制することができる。しかも、二枚目コインの押圧力を利用して投入規制部材を動作させるため、ソレノイドなどのアクチュエータを設ける必要がない。
【発明の効果】
【０００９】
本発明のコイン選別装置によれば、装置正面の投入口に、表裏面が左右を向く姿勢でコインを投入するものでありながら、投入されたコインを三次元的に方向変換し、表裏面が前後を向く姿勢でコインを選別するため、転がりを利用してコインをスムーズに選別部へ導くことができるだけでなく、選別部（回転盤）の前後寸法を抑えて、装置の奥行きを小さくすることができる。
【発明を実施するための最良の形態】
【００１０】
次に、本発明の実施形態について、図面を参照して説明する。図面において、１はコイン式ガスコンロなどに用いられるコイン選別装置であって、該コイン選別装置１は、ガス流路Ｇを開閉するバルブユニット２と、該バルブユニット２の正面に設けられるコイン選別ユニット３と、両ユニット２、３の底面部に沿って設けられるベース部４とを備えて構成されており、コイン選別ユニット３は、バルブユニット２から分離可能となっている。これにより、ガス配管が施されたバルブユニット２を残したまま、コイン選別ユニット３を分離してメンテナンスを行うことが可能になる、
【００１１】
コイン選別装置１は、投入口５から正規コインＣ（例えば１０円硬貨）が投入された場合、これを選別して鍵付きのコイン収納箱（コイン収納部）６に収納すると共に、ガス流路Ｇを所定時間（例えば３分）開放させる。これにより、ガス流路Ｇに接続されるガスコンロなどのガス機器を、コインＣの投入に応じて所定時間利用することが可能になる。
【００１２】
バルブユニット２の筐体７には、ガス供給管が接続されるガス入口８と、ガス機器が接続されるガス出口９が設けられ、これらの口８、９がガス流路Ｇを介して筐体内部で接続されている。ガス流路Ｇの中間部には、バルブ１０が介設されており、このバルブ１０から前方に延出するバルブ開閉レバー１０ａの操作に応じてガス流路Ｇが開閉される。
【００１３】
バルブユニット２の筐体７は、その正面左右両端部に複数の係合孔７ａを有する一方、コイン選別ユニット３の筐体１１は、その背面左右両端部に複数の係合ビス１３を備えている。コイン選別ユニット３をバルブユニット２に取付ける場合は、係合ビス１３を前方から係合孔７ａに差し込み、その後、コイン選別ユニット３を下方へスライドさせることにより、係合ビス１３が抜止めされ、コイン選別ユニット３がバルブユニット２に一体的に固定される。
【００１４】
また、ベース部４は、その上面左右両端部に複数の係合孔４ａを有する一方、バルブユニット２及びコイン選別ユニット３の筐体７、１１は、その底面左右両端部に複数の係合ビス１４を備えている。バルブユニット２及びコイン選別ユニット３をベース部４に取付ける場合は、係合ビス１４を上方から係合孔４ａに差し込み、その後、バルブユニット２及びコイン選別ユニット３を後方へスライドさせることにより、係合ビス１４が抜止めされ、バルブユニット２及びコイン選別ユニット３がベース部４に一体的に固定される。これにより、バルブユニット２に対するコイン選別ユニット３の上下スライドが規制され、コイン選別ユニット３の分離が困難になる。
【００１５】
また、コイン選別ユニット３の筐体１１は、その底部左右両端部に蝶ネジ１５を備え、この蝶ネジ１５を螺込み操作すると、蝶ネジ１５がベース部４に螺合する。これにより、ベース部４に対するバルブユニット２及びコイン選別ユニット３の前後スライドが規制される。尚、蝶ネジ１５は、鍵付きのコイン収納箱６を抜き取った場合にのみ回し操作が許容されるので、不正にコイン選別ユニット３を分離することは困難である。
【００１６】
また、本実施形態のベース部４は、四隅の足ゴム１６を介して床面などに載置する設置形態と、足ゴム１６を介して床面などにネジ止めする設置形態とに対応しており、ネジ止めを選択した場合には、盗難や転倒を効果的に防止することができる。また、コイン選別ユニット３の筐体１１は、バルブユニット２の筐体７に螺合可能な固定ビス１６を備えている。この固定ビス１６によってコイン選別ユニット３とバルブユニット２を予め固定すると、ベース部４にコイン選別ユニット３及びバルブユニット２をスライド固定するとき、コイン選別ユニット３とバルブユニット２とのズレを防止することが可能になる。尚、固定ビス１６は、鍵付きのコイン収納箱６を抜き取った場合にのみ回し操作が許容される位置に設けられることが好ましい。
【００１７】
コイン選別ユニット３の正面には、コインＣが投入される投入口５と、正規コインＣより小さい小径コインＣや連続投入された二枚目コインＣを返却する返却口１７と、コイン投入後に回し操作される回転盤操作レバー１８と、利用可能時間を表示するタイマ表示部１９とが設けられ、また、コイン選別ユニット３の側面には、コインＣが詰まったとき操作される詰り解除レバー２０が設けられている。
【００１８】
コイン選別ユニット３の内部には、投入口５から投入されたコインＣを選別する選別部２１と、投入口５から投入されたコインＣを選別部２１へ導くコイン経路２２と、投入された小径コインＣをコイン返却部２３を介して返却口１７へ返却する返却ガイド部２４と、連続投入された二枚目コインＣをコイン返却部２３へ導くコイン返却経路２５と、回転盤操作レバー１８の操作に応じて回転する回転盤２６と、回転盤２６の後方に並設されるタイマ動作円盤２７と、タイマ軸２８を介してタイマ動作円盤２７に連結されるタイマ２９と、タイマ２９の動作に応じてバルブ１０を開くバルブ動作部３０と、タイマ軸２８の回転をタイマ表示部１９に伝達するタイマ回転伝達部３１と、三枚目コインＣの投入を規制する投入規制部３２とを備えて構成されている。
【００１９】
コイン選別ユニット３の正面に設けられる投入口５は、表裏面が左右を向くコインＣの投入を許容する。投入が許容されるコインＣは、正規コインＣ又はそれよりも小径のコインＣであり、正規コインＣよりも大径のコインＣは投入が規制される。選別部２１は、回転盤２６の裏面に設けられ、表裏面が前後を向くコインＣを選別するように構成されている。コイン経路２２は、投入口５から投入されたコインＣを、転がしながら左右方向に傾倒し、かつ、傾倒したコインＣを前後方向に起立させながら選別部２１へ導くように構成されている。つまり、本発明のコイン選別装置１では、表裏面が左右を向く姿勢で装置正面から投入されたコインＣを三次元的に方向変換し、表裏面が前後を向く姿勢でコインＣを選別するように構成されているため、転がりを利用してコインＣをスムーズに選別部２１へ導くことができるだけでなく、選別部２１や回転盤２６の前後寸法を抑えて、装置の奥行きを小さくすることが可能になる。
【００２０】
次に、コイン経路２２の具体的な構成について説明する。コイン経路２２は、投入されたコインを転がりガイドする転がりガイド部３３と、該転がりガイド部３３上で転がるコインＣを右方向に傾倒させる傾倒ガイド部３４と、傾倒したコインＣを後方に起立させながら選別部２１へ導く起立ガイド部３５と、起立ガイド部３５の後方でコインＣを直立ガイドする背面板３６とを備えて構成されている。転がりガイド部３３及び起立ガイド部３５は、奥側ほど低位となる円弧状のガイド傾斜を有し、この傾斜に沿ってコインＣが導かれる。傾倒ガイド部３４は、転がりガイド部３３の上方に設けられ、奥側ほど右側に突出する傾斜ガイド面３４ａでコインＣを傾倒させる。
【００２１】
本実施形態の投入口５は、投入されるコインＣの姿勢を矯正しつつ、コインＣの押し込みを許容する正面視略コの字形の姿勢矯正ガイド５ａを備えている。つまり、姿勢矯正ガイド５ａは、投入口５から前方に突出するように設けられ、投入されるコインＣの上部、下部及び右側面をガイドすることにより、コインＣの姿勢を矯正し、また、コインＣの左側面を開放することにより、親指によるコインＣの押し込みを許容している。これにより、投入されるコインＣは、傾倒ガイド部３４の手前で姿勢を乱すことなく、常時安定した同一姿勢で傾倒ガイド部３４まで勢いよく到達することになり、その結果、傾倒ガイド部３４による傾倒ガイド作用を均一化し、コインＣを確実に選別部２１まで導くことが可能になる。
【００２２】
また、起立ガイド部３５は、左右に並列する一対のガイド部材３５ａ、３５ｂを備え、その上面でコインＣの左右両側をガイドするが、少なくとも一方のガイド部材３５ｂは、詰り解除レバー２０の操作に応じて回動するように構成されている。これにより、コイン経路２２にコインＣが詰まっても、ガイド部材３５ｂの外部操作によってコインＣの詰りを解除することが可能になる。また、起立ガイド部３５は、コイン返却部２３の上方に設けられるため、詰り解除操作によってガイド部材３５ａ、３５ｂ間から落下したコインＣは、コイン返却部２３を介して返却口１７から返却されることになる。尚、３７は詰り解除レバー２０とガイド部材３５ｂを連結する連結軸、３８はガイド部材３５ｂを初期位置に付勢するバネ、３９はガイド部材３５ｂと連動して逆方向に回動する回動部材である。
【００２３】
選別部２１は、前後方向に所定間隔を存して対向する一対の円弧プレート４０と、その両端同士を連結するピン４１とを備えて構成されている。ピン４１の間隔は、正規コインＣの通過を規制し、小径コインＣの通過を許容するように設定される。これにより、正規コインＣは、選別部２１に保持されると共に、回転盤２６の回転操作に伴って下方へ持ち回られ、コイン収納箱６へ収納されることになる。選別部２１に正規コインＣを保持して回転盤２６を回転操作した場合、選別部２１に保持された正規コインＣが、タイマ動作円盤２７のピン２７ａに接当し、回転盤２６と共にタイマ軸２８を回転させる。これにより、正規コインＣが投入されたときだけ回転盤２６とタイマ軸２８を連結状態とし、タイマ軸２８の回転を許容することが可能になる。
【００２４】
また、回転盤２６には、前述した返却ガイド部２４が設けられている。この返却ガイド部２４は、選別部２１で保持されない小径コインＣを、回転盤２６に形成される孔２６ａを介してコイン返却部２３へ導くように、回転盤２６の裏側から表側に延出する傾斜ガイド板４２を備えて構成されている。このようにすると、返却ガイド部２４を回転盤２６と別に構成する場合に比べ、装置の小型化が可能になるだけでなく、小径コインＣの返却経路を短くすることが可能になる。因みに、コイン返却部２３は、上方が拡開するように傾斜した左右一対の返却ガイド板４３を有し、この返却ガイド板４３によって返却コインＣを起立させ、表裏面が左右を向く姿勢で返却コインＣを返却口１７へ導くように構成されている。尚、４３ａは返却コインＣの起立を促す切り起しである。
【００２５】
また、選別部２１は、連続投入された二枚目コインＣを、正規コインＣを介して保持するために、第二の円弧プレート４４を備えている。ここに保持された二枚目コインＣは、回転盤２６の回転に伴ってコイン返却経路２５へ導かれる。コイン返却経路２５は、二枚目コインＣを一旦右外方へ導く可動ガイド板４５と、これを前記コイン返却部２３へ導く固定ガイド板４６とによって、平面視Ｕ字状に形成されている。可動ガイド板４５は、回動レバー４７、４８などによって上下動自在に構成され、正規コインＣの飛び出し防止及び正常落下を促す部材に兼用される。つまり、選別部２１に正規コインＣを保持して回転盤２６を回転操作するとき、回転操作レバー１８の保持回転操作から開放に至るその開放状態において、逆回転を促す瞬間、力点において加勢開放を行った場合、戻しバネの付勢力で正規コインＣが選別部２１へ戻され飛び出す可能性がある。このとき可動ガイド板４５は、飛び出そうとする正規コインＣの勢いを上方への退避動作により吸収し、正規コインＣの飛び出しを防止すると共に、正常落下を促すことになる。
【００２６】
また、投入規制部３２は、コインＣの投入を許容する投入許容姿勢と、コインＣの投入を規制する投入規制姿勢とに動作する投入規制部材４９を備え、この投入規制部材４９を、二枚目コインＣの押圧力で投入規制動作させるように構成されている。つまり、前記背面板３６には、二枚目コインＣに押圧される押圧レバー５０が設けられ、この押圧レバー５０が、ギヤ列５１や複数の回動レバー５２、５３を介して投入規制部材４９に連繋されている。尚、ＳＷＣは押圧レバー５０が二枚目コインＣによって動作したとき、ＯＮ動作するマイクロスイッチである。
【００２７】
また、タイマ回転伝達部３１は、ギヤ列５４や連結軸５５を介してタイマ軸２８の回転をタイマ表示部１９に伝達するように構成される。また、連結軸５５には、カム５６が設けられ、このカム５６によってマイクロスイッチＳＷＢがＯＮ／ＯＦＦされる。カム５６がマイクロスイッチＳＷＢをＯＮさせるタイミングは、タイマ軸２８の回転開始直後であり、ここを過ぎるとマイクロスイッチＳＷＢをＯＦＦとする。また、回転盤２６の周縁部には、カム部２６ｂが形成されており、その近傍には、カム部２６ｂに押されて回動する回動アーム５７が設けられている。回動アーム５７は、さらに別の回動アーム５８を介してマイクロスイッチＳＷＡに連繋されている。そして、マイクロスイッチＳＷＡは、回転盤２６が回転操作範囲の始端位置にあるときはＯＦＦ、回転盤２６が回転操作範囲の途中位置にあるときはＯＮ、回転盤２６が回転操作範囲の終端位置にあるときはＯＦＦとなる。
【００２８】
コイン選別ユニット３の筐体１１には、警報ユニット５９が外付けされている。この警報ユニット５９には、ブザー６０と、これを制御する制御基板６１と、ブザー６０を駆動させる電池（図示せず）が収納されている。制御基板６１は、前述したマイクロスイッチＳＷＡ、ＳＷＢ、ＳＷＣの信号を入力し、これらのＯＮ／ＯＦＦに応じてブザー６０を駆動させる。以下、制御基板６１のブザー制御をフローチャートで説明する。
【００２９】
制御基板６１は、まず、マイクロスイッチＳＷＡのＯＮ／ＯＦＦを判断し、これがＯＮのときは、マイクロスイッチＳＷＢにおけるＯＮ／ＯＦＦ動作の有無を判断する。そして、マイクロスイッチＳＷＢのＯＮ／ＯＦＦ動作が無いときは、回転盤操作レバー１８が空回しされたと判断し、マイクロスイッチＳＷＡに関する処理をキャンセルする。一方、マイクロスイッチＳＷＢのＯＮ／ＯＦＦ動作があったときは、マイクロスイッチＳＷＡの切換り直後（ＯＦＦ→ＯＮ）であるか否かを判断し、これがＹＥＳのときは、タイマ（例えば１０秒）をセットし、その経過を判断する。ここで、マイクロスイッチＳＷＡがＯＮのままタイマ時間が経過すると、回転盤操作レバー１８の不正操作であると判断し、ブザー６０を連続駆動させる。つまり、正規コインＣを投入して回転盤操作レバー１８を途中まで操作し、ここで回転盤操作レバー１８を保持すると、タイマ２９が不正に操作される可能性があるため、ブザー音によってこれを防止するようになっている。
【００３０】
また、マイクロスイッチＳＷＡがＯＮからＯＦＦに切り替わったときは、レバー操作が正常に行われたことを報知するために、ブザー６１を単発駆動させる。つまり、利用者は、回転盤２６が回転操作範囲の終端位置（半回転位置）まで回転したことをブザー音で判別することができるため、利用者に正常なレバー操作を促すことが可能になる。
【００３１】
また、マイクロスイッチＳＷＢがＯＮした場合は、ブザー６０を断続駆動させる。つまり、マイクロスイッチＳＷＢは、タイマ２９の残り時間が僅かになったときＯＮとなるため、利用時間の終了アラームとしてブザー６０を断続駆動させる。また、マイクロスイッチＳＷＣがＯＮした場合は、ブザー６０を連続駆動させる。つまり、マイクロスイッチＳＷＣは、正規コインＣの投入によって瞬間的にＯＮになるため、コイン投入を利用者に知らせることができ、また、二枚目コインＣによってマイクロスイッチＳＷＣが連続的にＯＮしたときは、連続ブザー音によって、返却された二枚目コインＣの取り忘れを防止することができる。
【００３２】
叙述の如く構成された本実施形態のコイン選別装置１において、投入口５は、表裏面が左右を向くコインＣの投入を許容する一方、選別部２１は、表裏面が前後を向くコインＣを選別し、更に、コイン経路２２は、投入されたコインＣを転がしながら左右方向に傾倒し、かつ、傾倒したコインを前後方向に起立させながら選別部２１へ導くように構成される。つまり、表裏面が左右を向く姿勢で装置正面から投入されたコインＣを三次元的に方向変換し、表裏面が前後を向く姿勢でコインＣを選別するように構成されるため、転がりを利用してコインＣをスムーズに選別部２１へ導くことができるだけでなく、選別部２１や回転盤２６の前後寸法を抑えて、装置の奥行きを小さくすることができる。
【００３３】
また、コイン経路２２は、投入されたコインＣを転がりガイドする転がりガイド部３３と、該転がりガイド部３３上で転がるコインＣを左右方向に傾倒させる傾倒ガイド部３４と、傾倒したコインＣを前後方向に起立させながら選別部２１へ導く起立ガイド部３５とを備えて構成されるため、簡単な構成でコインＣを三次元的に方向変換することができ、その結果、構造の複雑化を回避してコストダウンを図ることができる。
【００３４】
また、投入口５は、投入されるコインＣの姿勢を矯正しつつ、コインＣの押し込みを許容する正面視略コの字形の姿勢矯正ガイド５ａを備えるため、投入されたコインＣの姿勢が傾倒ガイド部３４の手前で乱れることを回避し、コインＣを常時安定した同一姿勢で傾倒ガイド部３４まで確実に到達させることができ、その結果、傾倒ガイド部３４による傾倒ガイド作用を均一化して、コインＣを確実に選別部２１まで導くことができる。
【００３５】
また、起立ガイド部３５は、左右に並列する一対のガイド部材３５ａ、３５ｂで構成されると共に、少なくとも一方のガイド部材３５ｂが外部操作に応じて変位するため、コイン経路２２でコインＣが詰まっても、ガイド部材３５ｂの外部操作によってコインＣの詰りを解除することが可能になる。
【００３６】
また、選別部２１は、外部操作に応じて回転する回転盤２６上で正規コインＣを保持し、該回転盤２６の回転に伴って正規コインＣをコイン収納箱６へ導くため、投入口５からコイン収納箱６に至るコインＣの経路を複雑にし、針金などを用いた不正行為を防止することができる。また、有料施設の利用時間を機体的なタイマ２９で計時する場合、回転盤２６の回転を利用してタイマ軸２８を回転させることができる。
【００３７】
また、回転盤２６は、外部操作に応じて回転したとき、選別部２１に保持された正規コインＣを介してタイマ軸２８を回転させるため、正規コインＣが投入されたときだけ回転盤２６とタイマ軸２８を連結状態とし、タイマ軸２８の回転を許容することができる。しかも、正規コインＣを利用して回転盤２６とタイマ軸２８を連結させるため、複雑な連結機構を不要にしてコストダウンを図ることができる。
【００３８】
また、回転盤２６は、選別部２１で保持されない小径コインＣを、回転盤２６に形成される孔２６ａを介して返却口１７へ導く返却ガイド部２４を備えるため、返却ガイド部２４を回転盤２６と別に構成する場合に比べ、装置の小型化が可能になるだけでなく、小径コインＣの返却経路を短くすることができる。
【００３９】
また、選別部２１は、連続投入された二枚目コインＣを、正規コインＣを介して保持すると共に、回転盤２６の回転に伴って返却口１７へ導くため、二枚目コインＣの返却処理が容易になるだけでなく、簡単な返却経路を介して二枚目コインＣを返却することができる。
【００４０】
また、投入口５に、コインＣの投入を許容する投入許容姿勢と、コインの投入を規制する投入規制姿勢とに動作する投入規制部材４９を設けると共に、該投入規制部材４９を、二枚目コインＣの押圧力で投入規制動作させるため、三枚目コインＣの投入を確実に規制して、コインＣの詰りを抑制することができる。しかも、二枚目コインＣの押圧力を利用して投入規制部材４９を動作させるため、ソレノイドなどのアクチュエータを設ける必要がない。
【図面の簡単な説明】
【００４１】
【図１】コイン選別装置の正面図である。
【図２】同上右側面図である。
【図３】同上平面図である。
【図４】コイン選別ユニットの内部左側面図である。
【図５】同上内部右側面図である。
【図６】同上内部平面図である。
【図７】同上内部正面図である。
【図８】選別部を示す同上要部背面図である。
【図９】タイマ動作円盤を示す同上要部正面図である。
【図１０】バルブ動作部を示す同上要部背面図である。
【図１１】（Ａ）はコイン投入部の正面図、（Ｂ）は同左背面図である。
【図１２】（Ａ）はコイン投入部の右側面図、（Ｂ）は同左左側面図である。
【図１３】コイン投入部の平面図である。
【図１４】投入コインの動きを示す要部右側面図である。
【図１５】投入コインの動きを示す要部背面図である。
【図１６】投入コインの動きを示す要部平面図である。
【図１７】（Ａ）はコイン投入部の詰り解除動作を示す右側面図、（Ｂ）は同左左側面図である。
【図１８】正規コイン収納時におけるコインの動きを示す要部背面図である。
【図１９】小径コイン返却時におけるコインの動きを示す要部背面図である。
【図２０】二枚目コイン返却時におけるコインの動きを示す要部背面図である。
【図２１】同上右側面図である。
【図２２】正規コインの飛び出し防止作用を示す要部背面図である。
【図２３】（Ａ）は投入規制部の作用を示す要部平面図、（Ｂ）は同左要部正面図である。
【図２４】警報ユニットの構成を示すブロック図である。
【図２５】制御基板の制御手順を示すフローチャートである。
【符号の説明】
【００４２】
１      コイン選別装置
２      バルブユニット
３      コイン選別ユニット
４      ベース部
５      投入口
６      コイン収納箱
１０    バルブ
１７    返却口
１８    回転盤操作レバー
１９    タイマ表示部
２０    詰り解除レバー
２１    選別部
２２    コイン経路
２３    コイン返却部
２４    返却ガイド部
２５    コイン返却経路
２６    回転盤
２８    タイマ軸
２９    タイマ
３３    転がりガイド部
３４    傾倒ガイド部
３５    起立ガイド部
３５ａ  ガイド部材
３５ｂ  ガイド部材
４９    投入規制部材
５９    警報ユニット
Ｃ      コイン
【図１】
2005122247.tif 000003
【図２】
2005122247.tif 000004
【図３】
2005122247.tif 000005
【図４】
2005122247.tif 000006
【図５】
2005122247.tif 000007
【図６】
2005122247.tif 000008
【図７】
2005122247.tif 000009
【図８】
2005122247.tif 000010
【図９】
2005122247.tif 000011
【図１０】
2005122247.tif 000012
【図１１】
2005122247.tif 000013
【図１２】
2005122247.tif 000014
【図１３】
2005122247.tif 000015
【図１４】
2005122247.tif 000016
【図１５】
2005122247.tif 000017
【図１６】
2005122247.tif 000018
【図１７】
2005122247.tif 000019
【図１８】
2005122247.tif 000020
【図１９】
2005122247.tif 000021
【図２０】
2005122247.tif 000022
【図２１】
2005122247.tif 000023
【図２２】
2005122247.tif 000024
【図２３】
2005122247.tif 000025
【図２４】
2005122247.tif 000026
【図２５】
2005122247.tif 000027